(57)【要約】      （修正有）【課題】被取付体に取り付ける際、楽に取り付けることができる樹脂製の固定具を提供する。【解決手段】雄部材１０１の止め部１０４を挿入する側の前記雌部材２０１の係止孔２０２周囲にスペース溝２０３を形成した。【選択図】図１３
2010075197.tif 000002
【特許請求の範囲】
【請求項１】
鍔部と、この鍔部から延長した軸部と、この軸部の延長端部分に、顎部を有しかつ前記軸部よりも膨出した止め部とを形成した雄部材、及び前記雄部材の止め部の係止孔を有する雌部材からなる樹脂製の固定具であって、
前記雄部材の止め部を挿入する側の前記雌部材の係止孔周囲にスペース溝を形成したことを特徴とする樹脂製の固定具。
【請求項２】
雌部材に情報記録体を配設したことを特徴とする請求項１記載の樹脂製の固定具。
【請求項３】
情報記録体の配設構成を、樹脂製の基板及びこの基板と融着する樹脂で射出成形して形成した外装部とで前記情報記録体を挟み込むように覆ったことを特徴とする請求項２記載の樹脂製の固定具。
【請求項４】
外装部の外装面の一部を基板の一面で代替し、情報記録体を前記基板の他面に配したことを特徴とする請求項３記載の樹脂製の固定具。
【請求項５】
情報記録体を基板に接着剤で貼り付けたことを特徴とする請求項２〜４のいずれかに記載の樹脂製の固定具。
【発明の詳細な説明】
【技術分野】
【０００１】  本発明は、動物等の個体識別、アパレル製品や日用品等の店舗販売商品又は物流品等に主に使用する樹脂製の固定具に関し、詳しくは、取り付け作業性を改善した樹脂製の固定具に関する。
【背景技術】
【０００２】  最近、生活用品の安全性が重要視され、消費者に安全性や品質等の情報開示をすることが求められている。この要望に対して、動物を扱う分野においては、情報公開のためのさまざまな取り組みの一環として、家畜、ペット用動物及び生態調査用の野生動物等の個体識別用のタグを利用して、情報の管理を行うケースが多くなってきた。
例えば、家畜が牛の場合は、「牛海綿状脳症対策特別処置法」や「牛の個体識別のための情報の管理及び伝達に関する特別処置法」において、牛一頭ごとに個体を識別するための耳標を着けることを義務付けていることも、タグを利用しての情報管理が注目されている要因と言える。このような社会の動向に合わせてさまざまな動物用タグの技術が開発されている。
【先行技術文献】
【特許文献】
【０００３】
【特許文献１】特開２００４−３５０５９８
【特許文献２】特許２６５１１２８
【特許文献３】特公平６−９７９２４
【０００４】  「特許文献１」によれば、平板状の鍔部と、該鍔部から突出し、その先端部位に円錐状の尖頭部が分離不能に設けられた軸部と、を少なくとも備える第一部材と、家畜の耳を貫通した前記軸部が挿着される孔部と、前記挿着状態で前記鍔部と対面して前記耳を挟持する平板部と、を少なくとも備える第二部材と、から構成され、前記第一部材が可撓性の合成樹脂で形成された豚用耳標が開示されている。
この技術は、特表２００１−５２５１８８にも開示されているように、円錐状の尖頭部を既知の硬い材料、例えば硬質の合成樹脂で形成している。これは、豚耳に第一部材を刺し込む際の剛性を確保するためである。【０００５】  「特許文献２」には、鍔体を軟質合成樹脂で形成するとともに、芯杆及び芯杆の先端部にその先端外径よりも大きい略円錐台状の台座部を硬質合成樹脂で形成し、鍔体と芯杆を接合固着し、さらに、前記台座部先端には、硬質合成樹脂あるいは金属などからなる尖鋭体を分離可能に装着する技術が開示されている。この技術は、家畜等が柵等に鍔体を引っ掛けても鍔体が柵から外れやすいように柔らかくしていること及び家畜の耳に刺し込む際に刺し込みやすくするために芯杆と尖鋭体を硬くし、家畜の耳に刺し込んだ後尖鋭体が台座部から分離するようにしている。【０００６】  「特許文献３」の公報に開示されている動物耳札スタッド、動物耳札スタッド／支持桿によれば、パネルから中空軸を延長しこの中空軸先端部にテーパ状の頭部を設け、中空軸の中空部分を、パネル側を大径に頭部付近を小径にして、中空部分の大径部と小径部の境に段部を形成するとともに頭部先端部分を非尖頭形状とし、弾性体で形成したスタッドが記載されている。
また、上記スタッドの中空部分に差し込む支持桿が、スタッドの頭部から突き出た部分を尖頭状に形成する一方、中空部分の段部に支持桿の肩を当接させるようにしている。
そして、スタッドと支持桿により動物の耳等を貫通させ、雌部分の穴にスタッドの頭部を差し込み係止する技術が開示されている。この技術は、耳札スタッドを柔らかく形成し、動物の耳に刺し込む際の強度保持を支持桿に委ねているものである。【０００７】  一方、動物以外の生活用品にも上記情報開示要望が多くなりつつある。この要望に対して、例えば、一次元バーコード、二次元コードあるいはＲＦＩＤ（Ｒａｄｉｏ  Ｆｒｅｑｕｅｎｃｙ  Ｉｄｅｎｔｉｆｉｃａｔｉｏｎ）と呼ばれる、無線通信による認識技術によって、生活用品の生産から消費までを個体管理し、この管理情報を消費者に提供することにより、消費者は、求める生活用品の各種情報を入手して購入判断をする、いわゆるトレーサビリティシステムの開発も急ピッチで行われ、これに伴ってＲＦＩＤを樹脂で封止する技術も提案されている。【０００８】
【特許文献４】特開２００５−１４９３６３
【特許文献５】特開平６−４５４８１
【０００９】  「特許文献４」には、熱可塑性エラストマーでシート状に圧延し、打ち抜き機で打ち抜いた下部基材と上部基材とを用意し、上下の基材間に電子部品を介在させた状態で金型内にセットし、金型の内側壁面と上下の基材間の隙間に可塑状態の熱可塑性エラストマーを充填して、各基材と充填したエラストマーを溶融させて電子部品を樹脂封止する技術が開示されている。
「特許文献５」には、「特許文献４」に類似した電子部品を樹脂封止する技術が開示されている。
【発明の概要】
【発明が解決しようとする課題】
【００１０】  特許文献１〜３によれば、「特許文献１」は、豚耳に第一部材を刺し込む際の剛性を確保するために、円錐状の尖頭部を既知の硬い材料、例えば硬質の合成樹脂で形成しているので、耳に刺し込むには好都合であるが、装着作業性については考慮されていない。又、動物等被取付体に損傷を与えることが多い上、刺し込み時の傷対策等もなされていない。
一方、「特許文献２」は、鍔体を柔らかく芯杆と尖鋭体を硬く形成し、鍔体と芯杆を接合固着しているので、鍔体が柵等に引っかかっても外れやすい利点がある反面、接合部の強度に不安があるとともに、装着後は尖鋭体が分離するためこれを回収しなければならない等問題も多いことに加え、この技術も装着作業性や刺し込み時の傷対策についての考慮等がなされていない。
さらに、「特許文献３」の場合は、動物の耳に刺し込む際の強度保持を支持桿に委ねて、耳札スタッドを柔らかく形成しているので、動物には優しいが、強度保持に問題があり耳札が抜けやすい上、この技術も装着作業性や刺し込み時の傷対策についての考慮等がなされていないことから判るように、何れの従来例も刺し込み時の装着性や傷対策の向上について論じたものではない。【００１１】  上記「特許文献４」「特許文献５」の技術は、ＩＣタグ等の電子部品を樹脂により封止して、電子部品を保護できる点で評価できる。このような技術は数多く提案されているが、多くの場合は樹脂により封止したＩＣタグを商品等他の物品に取り付けて使用するものである。しかし、樹脂封止したＩＣタグの他の物品への取り付けに関しての提案は皆無に等しい。【００１２】  そこで本発明では、上記従来の問題点を解決することを目的とし、代表的には被取付体に取り付ける際、楽に取り付けることができる樹脂製の固定具を提供することを目的とする。
【課題を解決するための手段】
【００１３】  上記目的を達成するために本発明では、次のような手段を用いて課題を解決した。
第一の課題解決手段は、鍔部と、この鍔部から延長した軸部と、この軸部の延長端部分に、顎部を有しかつ前記軸部よりも膨出した止め部とを形成した雄部材、及び前記雄部材の止め部の係止孔を有する雌部材からなる樹脂製の固定具であって、
前記雄部材の止め部を挿入する側の前記雌部材の係止孔周囲にスペース溝を形成したことを特徴とする樹脂製の固定具を提供する。【００１４】第二の課題解決手段は、雌部材に情報記録体を配設したことを特徴とする第一の課題解決手段に従属する樹脂製の固定具を提供する。【００１５】  第三の課題解決手段として、情報記録体の配設構成を、樹脂製の基板及びこの基板と融着する樹脂で射出成形して形成した外装部とで前記情報記録体を挟み込むように覆ったことを特徴とする第ニの課題解決手段に従属する樹脂製の固定具を提供する。【００１６】  第四の課題解決手段として、外装部の外装面の一部を基板の一面で代替し、情報記録体を前記基板の他面に配したことを特徴とする第三の課題解決手段に従属する樹脂製の固定具を提供する。【００１７】  第五の課題解決手段として、情報記録体を基板に接着剤で貼り付けたことを特徴とする第二〜第四いずれかに記載の課題解決手段に従属する樹脂製の固定具を提供する。【００１８】  第一の課題解決手段による作用は次の通りである。
雄部材の止め部を挿入する側の前記雌部材の係止孔周囲にスペース溝を形成したので、雄部材の止め部を被取付体に差し込む際、被取付体の止め部の差込方向と反対側（裏側）に、止め部による穿孔によって形成される被取付体の返り部分をスペース溝に収納できるため、この返り部分が止め部と係止孔の間に挟まって止め部の差込抵抗を増加させることがない。したがって、被取付体に樹脂製の固定具を取り付ける際、小さな挿入力で差し込むことができる。換言すれば楽に取り付けることができる。【００１９】  第二の課題解決手段による作用は、雌部材に情報記録体を配設したので、第一の課題解決手段の作用効果に加えて、個体情報を管理することができる。【００２０】  第三の課題解決手段による作用は、情報記録体の配設構成を、樹脂製の基板及びこの基板と融着する樹脂で射出成形して形成した外装部とで前記情報記録体を挟み込むように覆ったので、第ニの課題解決手段の作用効果に加えて、情報記録体を直接外部と接触させずに補強することになるため、外力や水等から情報記録体を保護することができる。【００２１】  第四の課題解決手段による作用は、外装部の外装面の一部を基板の一面で代替し、情報記録体を前記基板の他面に配したので、第八の課題解決手段の作用効果に加えて、雄部材又は雌部材を射出成形法により成形する場合、情報記録体が受ける溶融樹脂による力の作用を小さくすることができ、成形品の歩留まりを良くすることができる。【００２２】  第五の課題解決手段による作用は、情報記録体を基板に接着剤で貼り付けたので、第一〜第四いずれかに記載の課題解決手段の作用効果に加えて、情報記録体の配設位置精度を高めることができるとともに、射出成形法により成形する場合、情報記録体が受ける溶融樹脂による力の作用を更に小さくすることができ、成形品の歩留まりをより向上させることができる。
【発明の効果】
【００２３】  本発明は、被取付体に取り付ける際、楽に取り付けることができるので作業性が良い樹脂製の固定具を提供できる等の基本的な効果に加え、各態様により上述したそれぞれの作用効果を奏する。【００２４】  なお、本発明で使用する用語の意味を次のように定義する。ただし、ここで定義されていない用語は、一般的な意味を持つ用語として扱う。
情報記録体とは、文字情報、一次元バーコード、二次元コード又はＩＣタグ等、視覚、光学、又は電波、電磁誘導、あるいは磁力等により、一方向あるいは双方向の交信で情報をやり取りできる記録体を言う。
樹脂とは、同種樹脂同士はもちろんのこと異種樹脂同士であっても融着可能な樹脂すべてを言う。
【図面の簡単な説明】
【００２５】
【図１】本発明の実施の形態を示す樹脂製の固定具、雄部材の正面図
【図２】図１の左側面図
【図３】図１のＡ−Ａ線の断面図
【図４】図１のＢ−Ｂ線の一部省略した断面図
【図５】本発明の、実施の形態を示す樹脂製の固定具、雌部材の基板の正面図
【図６】図５のＣ−Ｃ線の断面図
【図７】本発明の、実施の形態を示す樹脂製の固定具、雌部材の正面図
【図８】図７のＤ−Ｄ線の断面図
【図９】図５の背面図
【図１０】本発明の実施の形態を示す樹脂製の固定具の作用説明図
【図１１】本発明の実施の形態を示す樹脂製の固定具の作用説明図
【図１２】本発明の実施の形態を示す樹脂製の固定具の作用説明図
【図１３】本発明の実施の形態を示す樹脂製の固定具の作用説明図
【図１４】本発明の実施の形態を示す樹脂製の固定具の作用説明図
【図１５】本発明の実施の形態を示す樹脂製の固定具の作用説明図
【図１６】本発明の実施の形態を示す樹脂製の固定具の他の使用例の説明斜視図
【図１７】本発明の実施の形態を示す樹脂製の固定具の他の使用例の説明斜視図
【図１８】本発明の他の実施の形態を示す樹脂製の固定具の正面図
【図１９】図１８のＥ−Ｅ線の断面図
【図２０】本発明のさらに他の実施の形態を示す図１９に相当する拡大した断面図
【発明を実施するための形態】
【００２６】  以下、発明を実施するための形態について図を参照しながら説明する。
図１〜図４において、軟質の樹脂、例えば硬度の低いエラストマー系の樹脂を素材として、雄部材１０１を形成している。この雄部材１０１は基本的に、鍔部１０２と、この鍔部１０２から延長した軸部１０３と、この軸部１０３の延長端部分に軸部１０３よりも膨出した止め部１０４とから成っている。
止め部１０４は、先端側を先細りにした切頭円錐体状に形成するとともに軸部１０３側には、軸部１０３の軸線に好ましくは直交する顎部１０４ａを形成し、後述する雌部材２０１の係止孔２０２と係合するようにしている。
このように外形を形成した止め部１０４内部には、硬質の樹脂、例えば硬度が高いエラストマー樹脂やポリカーボネート等を素材とした図３に示す補強駒１０５を配備している。この補強駒１０５は、後述する被取付体や雌部材２０１の係止孔２０２に差し込まれるときに止め部１０４に作用するせん断力等を受け、差し込み時の止め部１０４の破壊を防止する役目を果たすように壁１０５ａを形成するため、大径部１０５ｃと小径部１０５ｄからなる段付形状にしている。
なお、大径部１０５ｃの最大直径は後述する雌部材２０１の係止孔２０２の内径よりも小径にするとともに、大径部１０５ｃの小径部１０５ｄ側の外周面に、止め部１０４の外周テーパ面に沿うような面取りを施している。これは、止め部１０４が雌部材２０１の係止孔２０２内を通過するために必要な処置であるとともに、止め部１０４の外周テーパ面と大径部１０５ｃの小径部１０５ｄ側の外周面角との間が薄肉になって、被取付体や雌部材２０１の係止孔２０２に差し込むときに薄肉部分が破れないようにするための処置である。一方、大径部１０５ｃの軸部１０３側の角と止め部付け根１０４ｂ間の肉は、被取付体や雌部材２０１の係止孔２０２に差し込んだ後に差し込み方向と反対側、すなわち引き抜き方向の力が雄部材１０１に作用したときに、所望の荷重を超えたものについて、止め部付け根１０４ｂから雄部材１０１が破断するように適正な肉厚にしている。
【００２７】  また、雄部材１０１の鍔部１０２から軸部１０３を経由して止め部１０４に至る間の鍔部１０２の中心部付近に、貫通孔１０６を軸部１０３の軸線に沿うように設けている。この貫通孔１０６は、雄部材１０１を後述する雌部材２０１に打ち込む時に、軸部１０３に作用する座屈荷重に対して強度補強する心棒３０１を挿入するための孔であって、鍔部１０２から補強駒１０５の軸側の壁１０５ｅまで連通している。
一方、補強駒１０５には前記貫通孔１０６と略同軸の小形孔１０５ｂを貫通させ、前記貫通孔１０６を前記小形孔１０５ｂよりも大きくしている。これは、図１０に示すように、心棒３０１の形状を前記貫通孔１０６と小形孔１０５ｂに嵌る形状にし、更に心棒３０１の先端３０１ａを前記止め部１０４先端から突出させ、この突出した先端３０１ａ部分を尖塔状に形成して、軸部１０３に作用しようとする座屈荷重を補強駒１０５の軸側の壁１０５ｅを介して心棒３０１の段部３０１ｂで受けるようにするための処置である。
なお、心棒３０１の先端３０１ａを尖塔状にすることにより、被取付体に樹脂製の固定具を差し込む際、被取付体に対して雄部材１０１が垂直な場合はともかく、雄部材１０１が被取付体に対して斜めになった場合、まず心棒３０１の先端３０１ａが被取付体に食い込むので被取付体上で雄部材１０１がすべることがなく所望の位置に樹脂製の固定具を取り付けることができる。
【００２８】  図１〜図４において、雄部材１０１の鍔部１０２の軸部１０３側の面には、空気流通溝例えば、空気流通孔１０７を設けている。この空気流通孔１０７は、特に、動物の耳等に樹脂製の固定具を取り付けたとき、雄部材１０１による動物の耳への穿孔により出血しても空気流通孔１０７があるため、外気と傷口が連通することになる。したがって、雄部材１０１による動物の耳への穿孔により損傷する傷口部分を乾燥させることができるので、軸部１０３周りの穿孔部分の治癒効果を高めることができ、動物の耳の壊死や化膿等を防止できる他、段落「００４８」記載のように、ダンボール箱５１１等吸湿し易い被取付体等に使用する場合において、ダンボール箱５１１等が濡れた場合、空気流通孔１０７の存在により乾燥を促進させるので鍔部１０２の内側部分も空気中の水分率と平衡状態になり、被取付体の他の部分と何ら変わらない性質を維持できる効果があり、ダンボール箱５１１の濡れによる樹脂製の固定具の脱落を防止できる。
【００２９】  次に図５〜図９により雌部材２０１について説明する。
雌部材２０１に使用する素材は、用途により異なるが、例えば雄部材１０１と同様なエラストマー樹脂や、ポリプロピレン、ポリカーボネート等の樹脂を使用する。
まず、基板２０４について説明すると、図５〜図７において、基板本体２０４ａをドーナツ状に形成し、基板本体２０４ａの上面外周部に複数の突起２０４ｂを配設し、さらに、基板本体２０４ａの上面外周部に複数の穴２０４ｃを穿設している。また、基板本体２０４ａの上面内周部に複数の突起２０４ｄを配設している。これら突起２０４ｂ、２０４ｄは成形時に金型内で基板２０４を固定するためのものであり、穴２０４ｃは雌部材の外面を形成する樹脂が穴２０４ｃ内に流入するようにして、基板２０４と外装部２０１ａを形成する樹脂同士が溶着状態で接合する部分をさらに強固にするためのものである。前記溶着状態に関連して、基板本体２０４ａの外周を、図６に示すように断面形ナイフ状にすれば、先端の薄肉部分が溶け易いのでより溶着を強固にすることができる。
基板本体２０４ａの裏面には、雌部材２０１のボス２０５の一部を形成するためでもあり、又成形時の基板２０４を位置決めするための足２０４ｅを形成している。なお、より基板２０４の位置決め精度を高めたい場合は、成形時の溶融樹脂の流動方向下流側に補助位置決め２０４ｆを設けると良い。
【００３０】  基板本体２０４ａの上面には、情報記録体、この実施例ではＩＣタグ４０１が配設されている。このＩＣタグ４０１は、ポリエチレンテレフタレート等を素材とした樹脂フィルム４０１ａ上にＩＣチップ４０１ｂを取り付けこのＩＣチップ４０１ｂと連通するアンテナ４０１ｃを配備したもので、成形時の溶融樹脂熱に影響されないよう、ＩＣタグ４０１の上面にさらにコート紙（図示省略）等を被せてラミネートするとともに、ＩＣタグの基板本体２０４ａ側の面には接着剤（図示省略）を塗布して基板本体２０４ａとの接着性を良くして、成形時の溶融樹脂の射出圧力にＩＣタグ４０１が耐えるように、また上記ラミネートによる断熱効果及び成形前に常温状態にある基板２０４による放熱効果によって、熱に弱いとされるＩＣチップ４０１ｂを守るように配慮することが望ましい。
【００３１】  続いて、図７と図８を使用して雌部材２０１の外装部２０１ａについて説明する。
雌部材２０１は、予めＩＣタグ４０１を接着した上記した基板２０４を金型（図示省略）内にセットして、外装部２０１ａを形成する金型内（図示省略）に上述した溶融樹脂を射出して成形するが、この成形により、係止孔２０２、スペース溝２０３及び雄部材１０１の止め部材１０４の収納孔２０１ｂを備えた大形部２０１ｃとボス２０５及び収納壁２０１ｄから成る。
この成形に際し、溶融樹脂をキャビティ内に流入させるゲート位置は、ＩＣチップ４０１ｂと反対側、この実施例で言えば、補助位置決め２０４ｆと反対側にするように配慮すれば、ゲート付近における高温及び高圧力状態の溶融樹脂からＩＣチップ４０１ｂを保護できる。また、基板２０４の突起２０４ｂ、２０４ｄは金型内では大形部２０１ｃの一方の金型キャビティ面に圧接させ、基板本体２０４ａのＩＣタグ４０１の反対側の面を他方の金型面に圧接させて、外装部の外装面の一部を基板本体２０４ａのＩＣタグ４０１の反対側の面で代替している。これは、基板２０４が外装部２０１ａを形成する溶融樹脂が金型内に流入する際の圧力等により、基板２０４の位置変動を防止するとともに、ＩＣチップ４０１ｂが溶融樹脂の熱を受けたときに、基板本体を介して金型に放熱させてＩＣチップ４０１ｂを保護する効果もある。
【００３２】  一方、上述した係止孔２０２、スペース溝２０３及び雄部材１０１の止め部１０４の収納孔２０１ｂについて説明すれば、係止孔２０２は、雄部材１０１の止め部１０４外径よりも小径にするとともに、収納孔２０１ｂの内径は雄部材１０１の止め部１０４外径よりも大径に形成している。
これは、雄部材１０１を雌部材２０１に差し込むときに、止め部１０４外形が縮小して係止孔２０２内を通過し抜け出たところで縮小していた止め部１０４外形を略元の大きさに復帰した状態で収納孔２０１ｂ内に収納し、雄部材１０１と雌部材２０１を結合させるためである。
この際、係止孔２０２の収納孔２０１ｂ側の軸線に直角方向の面を、図８に示すように、係止孔２０２の内周円部分を収納孔２０１ｂ側に膨出させるようにしたテーパ面にするのがよい。
なぜならば、雄部材１０１と雌部材２０１の結合により雄部材１０１の止め部１０４の止め部付け根１０４ｂは、雄部材１０１に抜き方向の力が働いたときにその力を止め部付け根１０４ｂに集中的に作用させるので、破断前においては、止め部１０４の大きな断面積を有する部分にせん断応力を働かせて抜け防止効果を高めるとともに、後述する破断位置特定効果を高めることができるからである。
【００３３】  また、スペース溝２０３は、雄部材１０１を被取付体に差し込んだとき、先端側を先細りにした切頭円錐体状に形成した止め部１０４のテーパ部分に沿って被取付体の差し込み面と反対側に膨出した返り部分５０１ａ（図１１〜図１３参照）を収納するためのものである。
すなわち、スペース溝２０３がない場合は、返り部分５０１ａが係止孔２０２の内壁に張り付くため、雄部材の止め部１０４外形が縮小して係止孔２０２内を通過する際、その縮小量を大きくしなければならず、その分雄部材１０１を雌部材２０１に差し込むときの差込力が大きくなるので、スペース溝２０３の存在は、作業性を改善する意味において大きな役割を果たすことになる。
【００３４】  次に、上述した樹脂製の固定具の使用例を図１０〜図１５により説明する。
被取付体５０１が動物の耳の場合を例として説明すれば、ペンチ型の工具６０１の一方に心棒３０１を固定して、これに雄部材１０１を図１０のように取り付ける。
工具６０１の他方には雌部材２０１を挟み込む押さえ板６０１ａを設け、雌部材２０１を図１０に示す姿勢で挟み込む。
そして、工具を握ると図１１に示すように、心棒３０１の先端３０１ａが動物の耳５０１にまず差し込まれ続いて雄部材１０１の止め部１０４が耳５０１を穿孔しながら貫通しようとする。
このとき、上述したように、先端側を先細りにした切頭円錐体状に形成した止め部１０４のテーパ部分に沿って耳５０１の差し込み面と反対側に返り部分５０１ａが膨出する。この返り部分５０１ａは雌部材２０１のスペース溝２０３の中に収納されながら止め部１０４がさらに係止孔２０２方向に進行すると、この実施例では、止め部１０４の最大外径部分とスペース溝２０３の内径とが略同じ寸法になっているため、図１２に示すように、止め部１０４の最大外径部分とスペース溝２０３の内径とが協働して返り部分５０１ａの根元付近を切断して、切断された返り部分５０１ａがスペース溝２０３内に収納される。その結果、図１３から理解できるように、止め部１０４のテーパ部分が係止孔２０２に至る時には、すでに返り部分５０１ａは収納孔２０１ｂ内に収納され止め部１０４のテーパ部には存在しないので、係止孔２０２内壁には異物が存在しない状態になり、図１４に示すように、止め部１０４は係止孔２０２内径と同径に収縮されるのみで係止孔２０２内を通過する。すなわち、大きな力を必要とせず雄部材１０１を雌部材２０１に差し込むことができる。
【００３５】  そして、図１５に示すように、係止孔２０２内を通過した止め部１０４は略元の大きさに復元し、止め部の顎部１０４ａが係止孔２０２と係合する。この状態は、上述したように係止孔２０２の収納孔２０１ｂ側の内周円部分を収納孔２０１ｂ側に膨出させるようにしたテーパ部分と止め部付け根１０４ｂとの係合を意味し、したがって、雌部材２０１から雄部材１０１が抜けようとする力が作用した場合、図１５の断面視においてテーパ状になっている止め部１０４のうち、顎部１０４ａ範囲内の位置で最大の断面積になる部分にせん断が作用することになる。すなわち、雌部材２０１から雄部材１０１が抜けようとしても抜けにくい状況を作ることができる。
【００３６】  この作用に関連して、雄部材１０１の抜け方向の力は、止め部付け根１０４ｂと補強駒１０５の大径部１０５ｃの最短距離間の止め部１０４断面にも作用する。ここで、雄部材１０１の大部分から見れば、材質的に異質である補強駒１０５の存在により補強駒１０５の大径部１０５ｃの顎部１０４ａ側の角に応力が集中することになる。
すなわち、雄部材１０１が雌部材２０１から分離されるときは、特定部位である止め部付け根１０４ｂと補強駒１０５の大径部１０５ｃの最短距離間の止め部１０４断面から破断することになる。この作用を利用した効果については段落「００４１」で更に詳述する。
【００３７】  なお、上記実施例の樹脂製の固定具は、動物、例えば食肉用豚や牛の個体管理あるいはペットの管理等に使用する場合、上述したようにＩＣタグ４０１を樹脂により補強して封止すれば、特に豚の場合は長期間極めて激しい動きをしても安定した個体管理ができる。
【００３８】  また、図１６に示すように、被取付体をダンボール箱５１１等にして、上述した雄部材１０１及び雌部材２０１を使用した場合、ＩＣタグ４０１を樹脂により補強して封止しているので、商品の在庫、入出庫、移動履歴等を管理でき、使用後は雄部材１０１を切断すれば、ＩＣタグ４０１入りの雌部材２０１を再利用できる。
【００３９】  さらに、図１７に示すように、被取付体を洋服５２１等の商品とした場合は、商品の在庫、入出庫、移動履歴、価格管理はもちろんのこと、万引き防止にも使用できる。この場合も使用後は雄部材１０１を切断すれば、ＩＣタグ４０１入りの雌部材２０１を再利用できる。
【００４０】  図１８及び図１９に示すように、雄部材１１１と雌部材２１１の両方又はいずれか一方に表示部１１８、２１６を併設すれば、この表示部に文字、数字あるいは記号等を印字することもできるので、万一ＩＣタグ４１１が故障してもＩＣタグ４１１内の情報を文字、数字あるいは記号と紐付けしておけばＩＣタグ４１１内の情報を失うことがない。また、この表示部１１８、２１６の存在により、動物に使用した場合は、動物の成長に伴って雄部材１１１により穿孔した部分が大きくなっても抜け落ちることがない。
【００４１】  さらに、図２０に示すように、特に被取付体が牛の耳場合は、前述した法律により、再使用ができないようにしなければならないので、この場合は雌部材２２１の基板２２４の足２２４ｅ部分を収納孔２２１ｂ全周に渡り筒状に形成するとともに、外装部２２１ａ、特に収納壁２２１ｄとの接合を良くするため収納孔２２１ｂ外側に凹凸を付けて接着性を向上させ、加えて、外装部２２１ａの底部分２２１ｅを完全に塞ぐようにする。そして、基板２２４の材質を外装部２２１ａの材質よりも硬度が高く破壊しにくいものにすることにより、雄部材１２１と雌部材２２１の係合を意識的に解こうとする行為、いわゆる改ざんができないようにする。
そして、上述したように、雄部材１２１が雌部材２２１から破断分離するときは、特定部位である止め部付け根１２４ｂと補強駒１２５の大径部１２５ｃの最短距離間の止め部１２４断面から破断するので、止め部１２４は雌部材２２１の収納孔２２１ｂに残ることになり雌部材２２１を再利用しようとしても、他の雄部材を差し込むことができないため再利用することができない構造となり、上記法律に適合した樹脂製の固定具を提供できる。
以上の実施例では、雌部材２０１、２１１、２２１にＩＣタグ４０１、４１１、４２１を樹脂封止した事例について説明したが、ＩＣタグ４０１、４１１、４２１は雄部材１０１、１１１、１２１に入れて樹脂封止しても良く、また、ＩＣタグ４０１、４１１、４２１に代え他の情報記録体でも良い。
【産業上の利用の可能性】
【００４２】  本発明の樹脂製の固定具では、各種情報記録体がなくても所期の目的、すなわち、従来の問題点を解決すること、代表的には被取付体に取り付ける際楽に取り付けることができる樹脂製の固定具を提供するとした目的とを達成できる他、各態様によりそれぞれの作用効果を奏することから、畜産業界、物流業界等での作業性改善や管理コスト削減に寄与するので産業上の利用の観点からも極めて有効である。
【符号の説明】
【００４３】１０１、１１１、１２１        雄部材
１０２、１１２、１２２        鍔部
１０３、１１３、１２３        軸部
１０４、１１４、１２４        止め部
１０４ａ、１１４ａ、１２４ａ  顎部
１０４ｂ、１１４ｂ、１２４ｂ  止め部付け根
１０５、１１５、１２５        補強駒
１０５ａ、１１５ａ、１２５ａ  壁（補強駒の面）
１０５ｂ、１１５ｂ、１２５ｂ  小形孔
１０５ｃ、１１５ｃ、１２５ｃ  大径部
１０５ｄ、１１５ｄ、１２５ｄ  小径部
１０６、１１６、１２６        貫通孔
１０７、１１７、１２７        空気流通孔（空気流通溝）
２０１、２１１、２２１        雌部材
２０１ａ、２１１ａ、２２１ａ  外装部
２０２、２１２、２２２        係止孔
２０３、２１３、２２３        スペース溝
２０４、２１４、２２４        基板
３０１、３１１、３２１        心棒
３０１ａ、３１１ａ、３２１ａ  心棒の先端
４０１、４１１、４２１        情報記録体（ＩＣタグ）
【図１】
2010075197.tif 000003
【図２】
2010075197.tif 000004
【図３】
2010075197.tif 000005
【図４】
2010075197.tif 000006
【図５】
2010075197.tif 000007
【図６】
2010075197.tif 000008
【図７】
2010075197.tif 000009
【図８】
2010075197.tif 000010
【図９】
2010075197.tif 000011
【図１０】
2010075197.tif 000012
【図１１】
2010075197.tif 000013
【図１２】
2010075197.tif 000014
【図１３】
2010075197.tif 000015
【図１４】
2010075197.tif 000016
【図１５】
2010075197.tif 000017
【図１６】
2010075197.tif 000018
【図１７】
2010075197.tif 000019
【図１８】
2010075197.tif 000020
【図１９】
2010075197.tif 000021
【図２０】
2010075197.tif 000022